【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
画像から赤目領域を検出する赤目検出手段と、
前記赤目検出手段により検出された赤目領域を補正する赤目補正処理を行う赤目補正処理手段とを有し、
前記赤目検出手段は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記画像から赤目領域として検出されるために満たすべき条件を厳しくすることを特徴とする撮像装置。
【請求項２】
前記赤目検出手段は、画像から顔領域を検出し、検出された顔領域から赤目領域を検出するものであり、前記第１の赤目補正モードにおいては、前記第２の赤目補正モードよりも、前記画像から顔領域として検出されるために満たすべき条件を厳しくすることを特徴とする請求項１に記載の撮像装置。
【請求項３】
画像から赤目領域を検出する赤目検出手段と、
前記赤目検出手段により検出された赤目領域を補正する赤目補正処理を行う赤目補正処理手段とを有し、
前記赤目検出手段は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記画像から赤目領域として検出されるために満たすべき条件を厳しくすることを特徴とする撮像装置。
【請求項４】
前記赤目検出手段は、画像から顔領域を検出し、検出された顔領域から赤目領域を検出するものであり、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記画像から顔領域として検出されるために満たすべき条件を厳しくすることを特徴とする請求項３に記載の撮像装置。
【請求項５】
前記赤目検出手段は、画像から赤目領域の可能性がある赤目候補領域を求め、該赤目候補領域に対して、面積、最大長、彩度平均値、色相平均値、輝度平均値、形状、の各項目の少なくとも１つの項目に関して評価値を算出して、算出した評価値を赤目領域の可能性の判断に用いることを特徴とする請求項１乃至４のいずれか１項に記載の撮像装置。
【請求項６】
画像から赤目領域を検出する赤目検出手段と、
前記赤目検出手段により検出された赤目領域を補正する赤目補正処理を行う赤目補正処理手段とを有し、
前記赤目検出手段は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記赤目補正処理の補正の強度を低くすることを特徴とする撮像装置。
【請求項７】
画像から赤目領域を検出する赤目検出手段と、
前記赤目検出手段により検出された赤目領域を補正する赤目補正処理を行う赤目補正処理手段とを有し、
前記赤目検出手段は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記赤目補正処理の補正の強度を低くすることを特徴とする撮像装置。
【請求項８】
画像から赤目領域を検出する赤目検出工程と、
前記赤目検出工程において検出された赤目領域を補正する赤目補正処理を行う赤目補正処理工程とを有し、
前記赤目検出工程は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記画像から赤目領域として検出されるために満たすべき条件を厳しくすることを特徴とする画像処理方法。
【請求項９】
画像から赤目領域を検出する赤目検出工程と、
前記赤目検出工程において検出された赤目領域を補正する赤目補正処理を行う赤目補正処理工程とを有し、
前記赤目検出工程は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記画像から赤目領域として検出されるために満たすべき条件を厳しくすることを特徴とする画像処理方法。
【請求項１０】
画像から赤目領域を検出する赤目検出工程と、
前記赤目検出工程において検出された赤目領域を補正する赤目補正処理を行う赤目補正処理工程とを有し、
前記赤目検出工程は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記赤目補正処理の補正の強度を低くすることを特徴とする画像処理方法。
【請求項１１】
画像から赤目領域を検出する赤目検出工程と、
前記赤目検出工程において検出された赤目領域を補正する赤目補正処理を行う赤目補正処理工程とを有し、
前記赤目検出工程は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記赤目補正処理の補正の強度を低くすることを特徴とする画像処理方法。
【請求項１２】
請求項８乃至１１のいずれか１項に記載の画像処理方法をコンピュータに実行させるためのプログラム。
【請求項１３】
請求項１２に記載のプログラムを記憶したコンピュータが読み取り可能な記憶媒体。
【手続補正２】
【補正対象書類名】明細書
【補正対象項目名】００１０
【補正方法】変更
【補正の内容】
【００１０】
上述した課題を解決し、目的を達成するために、本発明に係わる撮像装置は、画像から赤目領域を検出する赤目検出手段と、前記赤目検出手段により検出された赤目領域を補正する赤目補正処理を行う赤目補正処理手段とを有し、前記赤目検出手段は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記画像から赤目領域として検出されるために満たすべき条件を厳しくすることを特徴とする。
また、本発明に係わる撮像装置は、画像から赤目領域を検出する赤目検出手段と、前記赤目検出手段により検出された赤目領域を補正する赤目補正処理を行う赤目補正処理手段とを有し、前記赤目検出手段は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記画像から赤目領域として検出されるために満たすべき条件を厳しくすることを特徴とする。
【手続補正３】
【補正対象書類名】明細書
【補正対象項目名】００１１
【補正方法】変更
【補正の内容】
【００１１】
また、本発明に係わる撮像装置は、画像から赤目領域を検出する赤目検出手段と、前記赤目検出手段により検出された赤目領域を補正する赤目補正処理を行う赤目補正処理手段とを有し、前記赤目検出手段は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記赤目補正処理の補正の強度を低くすることを特徴とする。
また、本発明に係わる撮像装置は、画像から赤目領域を検出する赤目検出手段と、前記赤目検出手段により検出された赤目領域を補正する赤目補正処理を行う赤目補正処理手段とを有し、前記赤目検出手段は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記赤目補正処理の補正の強度を低くすることを特徴とする。
【手続補正４】
【補正対象書類名】明細書
【補正対象項目名】００１２
【補正方法】変更
【補正の内容】
【００１２】
また、本発明に係わる画像処理方法は、画像から赤目領域を検出する赤目検出工程と、前記赤目検出工程において検出された赤目領域を補正する赤目補正処理を行う赤目補正処理工程とを有し、前記赤目検出工程は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記画像から赤目領域として検出されるために満たすべき条件を厳しくすることを特徴とする。
また、本発明に係わる画像処理方法は、画像から赤目領域を検出する赤目検出工程と、前記赤目検出工程において検出された赤目領域を補正する赤目補正処理を行う赤目補正処理工程とを有し、前記赤目検出工程は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記画像から赤目領域として検出されるために満たすべき条件を厳しくすることを特徴とする。
【手続補正５】
【補正対象書類名】明細書
【補正対象項目名】００１３
【補正方法】変更
【補正の内容】
【００１３】
また、本発明に係わる画像処理方法は、画像から赤目領域を検出する赤目検出工程と、前記赤目検出工程において検出された赤目領域を補正する赤目補正処理を行う赤目補正処理工程とを有し、前記赤目検出工程は、撮像素子により生成された画像に対して前記赤目補正処理を行い、該赤目補正処理を行った後の画像を記録媒体に記録する第１の赤目補正モードにおいては、予め記録媒体に記録された画像を読み出して前記赤目補正処理を行う第２の赤目補正モードよりも、前記赤目補正処理の補正の強度を低くすることを特徴とする。
また、本発明に係わる画像処理方法は、画像から赤目領域を検出する赤目検出工程と、前記赤目検出工程において検出された赤目領域を補正する赤目補正処理を行う赤目補正処理工程とを有し、前記赤目検出工程は、前記赤目補正処理を行う前の画像を記録せずに前記赤目補正処理を行った後の画像を記録媒体に記録する場合には、前記赤目補正処理を行う前の画像と前記赤目補正処理を行った後の画像を記録媒体に記録する場合よりも、前記赤目補正処理の補正の強度を低くすることを特徴とする。